(57)【要約】      （修正有）【課題】装着時に、肘を曲げた場合等にネットが皮膚に密着し、蚊がネット外から吸血することを回避するとともに、アームカバーがずれ落ちて二の腕が露出して蚊に刺されやすくなるとともに装着感も悪化することを回避できる虫よけアームカバーを提供する。【解決手段】皮膚とネットが密着してしまう事態を回避するために、カバーの内側にネット１と皮膚の間に空間を確保するための突起物（間隙部材２）を設置する。また、二の腕の露出回避のために、左腕用と右腕用の２本のカバーを面ファスナー４を用いて接続具３（布帯またはゴム紐）でつなぎ、腕に装着したときに２本が互いに引き合う形にする。【選択図】図１
0003216376.tif 000002
【実用新案登録請求の範囲】
【請求項１】
腕に装着して使用するネット地で作られた虫よけアームカバーであって、ネットと腕に間隙を形成するための柔軟性のある間隙部材をアームカバー内面に備え、前記間隙部材は、アームカバーの長手方向と、長手方向と交差する周方向に複数個設けられたことを特徴とする虫よけアームカバー。
【請求項２】
前記アームカバーを２つ連結する際に使用する連結部材を取り付けるための連結具を前記アームカバーに備えたことを特徴とする請求項1に記載の虫よけアームカバー。
【考案の詳細な説明】
【技術分野】
【０００１】
本考案は、蚊などに腕を刺されてしまう可能性を低くする装備に関する。
【背景技術】
【０００２】
夏季に屋外で園芸や除草などの作業する際に暑いために腕を露出することが日常的に行われているが、腕を露出していると蚊にさされてしまい、かゆみに苦しめられたりデング熱や日本脳炎などの恐ろしい病気にかかったりすることがある。
【０００３】
この問題に対して様々な対策が考案されていて、１  薬剤を空間や茂みに噴霧したり蚊取り線香を焚きながら作業したりして作業場所の蚊を殺してしまったり蚊が嫌う状態をつくったりすること、２  蚊が嫌う薬剤をしみこませた衣服やネットなどを身に着けて蚊が人に近寄りにくくすること、３  腕をネットで覆って蚊が皮膚に静止して吸血することができなくすることなどが行われ、いずれも効果を実感できるものであるが短所もみられるものである。
【０００４】
この短所のうち一般に市販されている腕装着型のネットは、肘を曲げればネットが肘付近の皮膚に密着してしまってネットと皮膚の間に空間がなくなり、蚊がネットの中に侵入しなくても外から編み目ごしに吸血することが可能になってしまう。
【０００５】
また、腕装着型のネットは、同じもの２本を一組として販売されていて、手首から二の腕までを覆うものであり、ネットにゴム紐が入れてあって二の腕にゴム紐によって止められるものが多いが、腕の動きによって下方に引っ張られる力が働くとともに、ゴム紐は使用を繰り返すとゴムが劣化してネットを腕に繋止する力が弱くなり、次第にネットが手首の方へと下がってしまって二の腕が露出してしまい、蚊に刺される可能性が高まるとともに装着感も悪化する。
【先行技術文献】
【特許文献】
【０００６】
【特許文献１】特開２００２−２２７０１２号
【特許文献２】特開２００１−１５９０１０号
【特許文献３】特開２０１７−０３１５１９号
【特許文献４】特開２０００−３０３３５４号
【特許文献５】実用新案登録第３０７１０２１号
【特許文献６】意匠登録第１２８２５０５号
【０００７】
上記特許文献１は、[０００４]に述べたネットが肘付近の皮膚に密着してしまって蚊がネットの外から吸血できる状態になることを避けられる構造であるが、一般家庭の庭仕事などでは、より簡便なものが望まれる。
【０００８】
上記特許文献２は、日よけを目的としたアームカバーで、[０００５]に述べたゴムが伸びてネットを腕に繋止する力が弱くなってネットが手首のほうに下がってしまう事態を生じさせない構造であるが、蚊に刺されないための対策という課題ではない。
【０００９】
上記特許文献３は、蚊に刺されないように顔面や頭部をネットで覆うとともに、覆う範囲を腕を含む上半身にも拡張できるものである。また、特許文献４，５，６は、ネットの素材に忌避効果を持たせたりするものである。
【考案の概要】
【考案が解決しようとする課題】
【００１０】
腕装着型のアームカバーにおいて、部分的にネットと皮膚の間の空間がなくなること、特に肘を曲げた場合にネットが肘の皮膚に密着してしまってネットと皮膚の間に空間がなくなり、蚊がネットの中に侵入できなくても外から編み目ごしに吸血することが可能になってしまう事態が発生することを回避する。（課題１）
【００１１】
腕装着型のアームカバーにおいて、ネットを腕に繋止するゴムが伸びてネットが下方へとずれて二の腕が露出してしまい、蚊に刺される可能性が高まるとともに使用感も悪化する事態を回避する。（課題２）
【課題を解決するための手段】
【００１２】
（課題１）のアームカバーと皮膚の間の空間がなくなることについては、アームカバーのネットと皮膚の間に空間を作り出すための突起物（これを「間隙部材」とする）をネットに設置する。
【００１３】
間隙部材は、装着したときに皮膚を傷つけず、また、腕の動きに柔軟に対応できる柔らかなスポンジやネットと同材質の繊維製品等の柔軟性のある材料で帯状または円柱状のものを作成してネットに接着するが、肘を曲げたりしたときに蚊がネット越しに吸血できるような腕とネットの密着部ができにくい位置と高さになるように設置する。
【００１４】
（課題２）のアームカバーが下方にずれてしまうことについては、アームカバーは一般に同じ形の２本が組になって販売されていることが多いが、この２本を布や紐、ゴム紐によってつなぐことができる構造にし、これにより腕に装着したときに左右のアームカバーが互いに引き合う形にすることによってずれようとする力に対抗させる。
【００１５】
左右のネットのつなぎ方は、ネットの二の腕側の端に面ファスナーを設け、左右のネットの間に入る布や紐、ゴム紐(これを「接続具」とする)の両端にも面ファスナーを設けて両者を着脱自在にするものである。着脱自在とすることによって、使い方の自由度を高めて使用者の事情に合わせやすくする。大きさはS、M、L等のサイズを設定して体格に合わせられるようにするが、面ファスナーの接続位置によっても調整できる。
【考案の効果】
【００１６】
（課題１）では、ネットと皮膚の間に間隙部材を設置することによりネットと皮膚の間に空間が確保されるため、蚊がネットにとまって吸血しようとしても口吻部が皮膚まで届かないため吸血できない状態を作り出せる。
【００１７】
（課題２）では、腕に装着したときに左右それぞれのネットが互いに引き合う形になるので、左右の一方にずり落ちるような力が働いても他方がその力に対抗する形になるためずり落ちることはなくなり、二の腕が一部露出して蚊に刺されてしまったり装着感が悪化したりすることがなくなり、従ってゴムで腕に繋止する必要もなくなる。左右のネットの両方にずり落ちる力が働いても同様である。
【図面の簡単な説明】
【００１８】
【図１】本考案の実施形態を示す「一文字型」の正面図である。
【図２】本考案の実施形態を示す「上着型」の正面図である。
【図３】本考案の「間隙部材」の機能説明図である。
【図４】図１に示す「一文字型」の使用例を示す斜視図である。
【考案を実施するための形態】
【００１９】
以下、本考案の実施形態を図１〜図４に基づいて説明する。
【００２０】
図１「一文字型」の実施例では、蚊よけネット１の長手方向と円周方向の２方向に複数の帯状の間隙部材２をつけてある。また、円柱状の間隙部材２もつけてある。間隙部材は腕の外側に接する部分と肘部分を重点として設置することになるが、左右の２本をつながずにそれぞれ腕に装着するという使い方を使用者がする場合は、カバーの向きを意識せず様々に回転させて取り扱うので肘の内側・外側といった位置を決めがたいため全体的に間隙部材を設置してある。ネットの袖口５と二の腕側の端６は蚊が侵入できないようにゴム紐や面ファスナーで絞ってある。
【００２１】
この図１では、蚊よけネット１と接続具３をつなぐ前の状態とつないだ状態とを示している。接続具３として概ね腕カバーの幅を有する布を用いてつなぐものと、紐またはゴム紐を用いてつなぐものであり、面ファスナー４によって大きさを調節でき、ゴム紐のものはゴムの伸びによっても大きさを調節できる。
【００２２】
図２「上着型」は、前ボタン付きのシャツのような形になるように左右の腕カバーをつないだものである。面ファスナー４を用いて蚊よけネット１と接続具３をつないである。衣服を着たり脱いだりするように簡単に着脱できる。ネットの袖口５と二の腕側の端６は蚊が侵入できないようにゴム紐や面ファスナーで絞ってある。身頃の部分は薄手の生地やネット地を用いたりして通風を確保する。ポケットを設けて使いやすくすることができる。
【００２３】
図１、図２とも面ファスナー４で着脱自在としてあるが、着脱自在とせずに縫い合わせた状態にしても[００１８]で述べたずり落ちないという効果は同じである。
【００２４】
図３は間隙部材の機能説明である。腕に蚊よけネット１を付けていてもネットが肌に張り付いてしまえば蚊に刺される可能性が高まってしまうので、間隙部材２を用いて肌にネットが張り付かないように空間を確保する。これによって蚊がネットにとまったとしても口吻が皮膚まで届かないので吸血されない。
【００２５】
図4は一文字型の使用例である。腕を自由に動かせるので作業に支障をきたさない。
【符号の説明】
【００２６】
１  蚊よけネット
２  間隙部材
３  接続具
４  面ファスナー
５  袖口
６  二の腕側の端
【図１】
0003216376.tif 000003
【図２】
0003216376.tif 000004
【図３】
0003216376.tif 000005
【図４】
0003216376.tif 000006